(57)【要約】【課題】  特に自動車用のナンバープレートの場合、偽造又は窃盗の危険が存在する。この危険に対抗するため、このようなナンバープレートを保護する様々な可能性が公知である。この保護は、コストがかかるか又は十分安全でない。【解決手段】  本発明は、少なくとも１つのセキュリティーフィーチャー（１２）が上層（１５）の輪郭に沿って配置されているナンバープレートを提唱する。これによって、当該セキュリティーフィーチャー（１２）、すなわちナンバープレートの統合された構成要素が、上層（１５）中に埋設される。このようなセキュリティーフィーチャー（１２）を、もはやナンバープレートから取り出すことはできない。これによって、本発明のナンバープレートは、偽造に対する最大限の保護を提供する。
2012515680.tif 000002
【特許請求の範囲】
【請求項１】
文字が施されている１つのナンバープレート本体（１０，２３，３７，３８）及び少なくとも１つのセキュリティーフィーチャー（１２，２４，３６，４２）を有するナンバープレート、特に自動車のナンバープレートにおいて、
前記少なくとも１つのセキュリティーフィーチャー（１２，２４，３６，４２）は、前記ナンバープレート本体（１０，２３，３７，３８）の輪郭に沿って配置されていることを特徴とするナンバープレート。
【請求項２】
前記少なくとも１つのセキュリティーフィーチャー（１２，２４，３６，４２）が、前記ナンバープレート本体（１０，２３，３７，３８）から張り出さないように、前記少なくとも１つのセキュリティーフィーチャー（１２，２４，３６，４２）は、前記ナンバープレート本体（１０，２３，３７，３８）の輪郭に沿って配置されていることを特徴とする請求項１に記載のナンバープレート。
【請求項３】
前記少なくとも１つのセキュリティーフィーチャー（１２，２４，３６，４２）は、前記ナンバープレート本体（１０，２３，３７，３８）中に埋設されていることを特徴とする請求項１又は２に記載のナンバープレート。
【請求項４】
前記少なくとも１つのセキュリティーフィーチャー（１２，２４，３６，４２）は、前記ナンバープレート本体（１０，２３，３７，３８）の上層（１５，２５，３９）中に埋設されていることを特徴とする請求項１又は２に記載のナンバープレート。
【請求項５】
前記セキュリティーフィーチャー（１２，２４）の１つの面（１４，３５）が露出して、特に、前記ナンバープレート本体（１０，２３）、特に前記上層（１５，２５）の１つの面と同一平面になって結合するように、前記少なくとも１つのセキュリティーフィーチャー（１２，２４）が、前記ナンバープレート本体（１４，３５）又はこのナンバープレート本体（１４，３５）の上層（１５，２５）中に埋設されていることを特徴とする請求項１に記載のナンバープレート。
【請求項６】
前記少なくとも１つのセキュリティーフィーチャー（３６，４２）の全面が、前記ナンバープレート本体（３７，３８）によって包囲されていて且つ前記ナンバープレート本体（３７，３８）の内部に完全に存在するように、前記少なくとも１つのセキュリティーフィーチャー（３６，４２）は、前記ナンバープレート本体（３７，３８）中に埋設されていることを特徴とする請求項１に記載のナンバープレート。
【請求項７】
前記少なくとも１つのセキュリティーフィーチャー（３６，４２）の全面が、前記上層（２５，３９）によって包囲されていて且つ前記上層（２５，３９）中に完全に存在するように、前記少なくとも１つのセキュリティーフィーチャー（３６，４２）は、前記ナンバープレート本体（３７，３８）の前記上層（２５，３９）中に埋設されていることを特徴とする請求項４に記載のナンバープレート。
【請求項８】
前記少なくとも１つのセキュリティーフィーチャー（３６，４２）が、前記上層（２５，３９）を形成する上層の２つの層の間に埋設されていることを特徴とする請求項１に記載のナンバープレート。
【請求項９】
前記少なくとも１つのセキュリティーフィーチャー（２４）の、前記上層（２５）によって覆われていない１つの面（３５）が、前記上層（２５）の後面（２７）と境を接している層によって覆われていることを特徴とする請求項４に記載のナンバープレート。
【請求項１０】
前記上層（１５，２５，３９）は、透明、特に透き通っていることを特徴とする請求項４に記載のナンバープレート。
【請求項１１】
前記それぞれのセキュリティーフィーチャー（１２，２４，３６，４２）は、少なくとも１つの電子透かし情報を有するキャリア（１３）を備えることを特徴とする請求項１に記載のナンバープレート。
【請求項１２】
前記少なくとも１つのセキュリティーフィーチャーは、ホログラムとして構成されていることを特徴とする請求項１１に記載のナンバープレート。
【請求項１３】
ナンバープレート本体（１０，２３，３７，３８）を有するナンバープレートを製造する方法であって、このナンバープレート本体（１０，２３，３７，３８）は、少なくとも１つの上層（１５，２５，３９）及び少なくとも１つの別の層から構成され、少なくとも１つのセキュリティーフィーチャー（１２，２４，３６，４２）が設けられている当該方法において、
前記少なくとも１つのセキュリティーフィーチャー（１２，２４，３６，４２）は、前記ナンバープレート本体（１０，２３，３７，３８）中に封入されることを特徴とする方法。
【請求項１４】
前記少なくとも１つのセキュリティーフィーチャー（１２，２４，３６，４２）は、上層（１５，２５，３９）中に封入され、当該封入のため、前記上層（１５，２５，３９）の少なくとも一部分の成形時に当該一部分内に嵌入されるか又はこの一部分上に搭載されることを特徴とする請求項１３に記載の方法。
【請求項１５】
前記上層（２５，３９）の第１層が成形され、前記少なくとも１つのセキュリティーフィーチャー（３６，４２）が、この第１層上に搭載され、引き続き前記上層（２５，３９）の第２層が、前記セキュリティーフィーチャー（３６，４２）の前記第１層上にわたって成形されることによって、前記それぞれのセキュリティーフィーチャー（３６，４２）が、前記上層（２５，３９）の２つの層の間に埋設されることを特徴とする請求項１３又は１４に記載の方法。
【発明の詳細な説明】
【技術分野】
【０００１】
本発明は、請求項１の上位概念に記載のナンバープレート、特に自動車のナンバープレートに関する。さらに、本発明は、請求項１３の上位概念に記載のナンバープレートを製造する方法に関する。
【背景技術】
【０００２】
ナンバープレート、特に自動車のナンバープレートの偽造及び窃盗に対抗するため、ナンバープレートが、当該専門分野では電子透かし情報（Originalitaetsmerkmale）又は認証情報（Echtheitsmerkmale）とも呼ばれるセキュリティーフィーチャー（Sicherheitsmerkmale）を有する。異なる種類のこのようなセキュリティーフィーチャーが公知である。例えば、少なくとも１つのホログラムを有するステッカーとして構成されているセキュリティーフィーチャーが存在する。このようなセキュリティーフィーチャーは、外側からナンバープレート上に貼付される。この場合、ステッカーが再び剥がれるという危険がある。確かに、このようなセキュリティーフィーチャーを破壊することなしに剥がすことができないように、このセキュリティーフィーチャーは構成されているものの、セキュリティーフィーチャーを稀に破壊することなしにナンバープレートから剥がす方法がある。
【発明の概要】
【発明が解決しようとする課題】
【０００３】
本発明の課題は、偽造防止が簡単に改良されるナンバープレート、特に自動車のナンバープレート及びこのナンバープレートを製造する方法を提供することにある。
【課題を解決するための手段】
【０００４】
この課題は、請求項１に記載の特徴によって解決される。したがって、少なくとも１つのセキュリティーフィーチャーが、ナンバープレートのナンバープレート本体の輪郭に沿って配置されていることが提唱されている。これによって、当該少なくとも１つのセキュリティーフィーチャーが、もはやナンバープレート上に貼付されているのではなくて、ナンバープレートの全体又はその一部の中に埋設されている。これによって、例えば、少なくとも１つのセキュリティーフィーチャーが、ナンバープレート中に組み込まれている。これによって、当該セキュリティーフィーチャーは、もはやナンバープレートから分離され得ない。
【０００５】
好ましくは、当該少なくとも１つのセキュリティーフィーチャーは、ナンバープレート本体、特にこのナンバープレート本体の上層中に埋設されている。一方では、少なくとも１つのセキュリティーフィーチャーの全面が、特に上層の材料によって包囲されていることによって、当該セキュリティーフィーチャーが、ナンバープレート本体又は上層の内部に完全に存在するように、当該埋設は実施され得る。他方では、それぞれのセキュリティーフィーチャーの１つの面が露出して、特に、ナンバープレート本体の境を接している面と同一平面になって結合するように、当該少なくとも１つのセキュリティーフィーチャーが、ナンバープレート本体中に埋設されてもよい。このとき、それぞれのセキュリティーフィーチャーの対向する１つの面と側面とが、ナンバープレート本体の材料によって包囲されている。この場合、当該それぞれのセキュリティーフィーチャーは、このセキュリティーフィーチャーの寸法に一致する窪部又は凹部内に設置されている。上層中への少なくとも１つのセキュリティーフィーチャーのこのような埋設の場合、当該上層が透明である必要がない。
【０００６】
ナンバープレート本体の上層の内部に完全に配置されたセキュリティーフィーチャーを有するナンバープレートの好適な構造の場合、当該上層を重なり合う２つの層から形成することが提唱されている。この場合、それぞれのセキュリティーフィーチャーの全面が、上層中に埋設されていることによって、当該セキュリティーフィーチャーが、当該上層の２つの層の間に配置されている。
【０００７】
セキュリティーフィーチャーの１つの面が、上層の境を接している面と同一平面になって結合するように、当該少なくとも１つのセキュリティーフィーチャーが、当該上層中に埋設されている場合、それぞれのセキュリティーフィーチャーの当該露出面は、上層の目視可能な前面上に配置され得るものの、上層の後面上にも配置され得る。後者の場合では、それぞれのセキュリティーフィーチャーの、上層の材料によって覆われなかった面が、この上層の後面上の別の層によって覆われていることが提唱されている。それぞれのセキュリティーフィーチャーの、上層の前面と同一平面になって結合している露出面の場合、この露出面が被覆されてもよい。つまり、この露出面が、上層の前面上の保護フィルム若しくは保護ラッカーによって又は特に再帰反射膜の、上層の前面にわたって配置された反射層によって被覆されてもよい。
【０００８】
本発明の好適な構造の場合、それぞれのセキュリティーフィーチャーが、少なくとも１つの電子透かし情報を有するキャリア、特に扁平状のキャリアを備えることが提唱されている。基本的に、当該セキュリティーフィーチャーは任意に構成され得る。しかし、好ましくは、セキュリティーフィーチャーを少なくとも１つのホログラムとして構成することが提唱されている。しかし、ホログラムが、セキュリティーフィーチャーの全体を構成することも考えられる。ホログラムとして構成されているか又は少なくとも１つのホログラムを有するセキュリティーフィーチャーの場合、特に上層の輪郭に沿った当該配置、特に上層中への当該一部若しくは全体の埋設及び／又は組み込みは、偽造不可能であるナンバープレート、特に自動車のナンバープレートを実現する。
【０００９】
請求項１３に記載の特徴が、冒頭で述べた課題を解決する方法を有する。この方法の場合、ナンバープレート、特に自動車のナンバープレートが、上層中への封入によって少なくとも１つのセキュリティーフィーチャーを有する。当該封入は、上層の製造時に特に簡単に実施され得る。この場合、当該それぞれのセキュリティーフィーチャーは、成形によって実施される上層の製造時に「残された型枠（verlorene Schalthung）」として使用される。
【００１０】
本発明の方法のその他の好適な構成の場合、それぞれのセキュリティーフィーチャーを上層の２つの層の間に埋設することが提唱されている。このため、上層の第１層が成形される。少なくとも１つのセキュリティーフィーチャーが、この第１層上に搭載される。引き続き、上層の第２層が、この第１層及びこのセキュリティーフィーチャー上にわたって成形される。それぞれのセキュリティーフィーチャーは、上層の第１層の完全な硬化前に既に搭載され得る。上層の第２層が、当該第１層上に注入される場合は、上層のこの第１層をさらに硬化させる必要もない。このとき、当該第２層は、当該第１層上に「ウェットオンウェット」に被覆される。これによって、上層の当該両層の均質な接合がもたらされる。これによって、上層中への少なくとも１つのセキュリティーフィーチャーの不可逆で完全な埋設が引き起こされる。これによって、少なくとも１つのセキュリティーフィーチャーが、上層中に一体的に且つ機械的に組み込まれている。
【図面の簡単な説明】
【００１１】
【図１】投影したナンバープレートの一部をこのナンバープレートの個々の層の厚さを著しく拡大して示す。
【図２】ナンバープレートの第２の実施の形態の横断面を個々の層の厚さを同様に著しく拡大して示す。
【図３】ナンバープレートの第３の実施の形態の横断面を図２と同様に示す。
【図４】ナンバープレートの第４の実施の形態の横断面を個々の層の厚さを同様に著しく拡大して示す。
【発明を実施するための形態】
【００１２】
以下に、本発明の好適な実施の形態を図面に基づいて詳しく説明する。
【００１３】
図面中には、ナンバープレート、つまり自動車のナンバープレートの幾つかの実施の形態の一部だけが示されている。これらのナンバープレートの多くの部分が、合成樹脂製である。さらに、特に曲がりやすいナンバープレート本体１０が、複数の層又は膜から形成されている。固有の文字が、ナンバープレート本体１０に施されている。当該文字は、特にアンバープレート１０の、ナンバープレートの表側の面を形成する前面１１上にプリントされている。当該文字は、貼付された数字又はその他の作図から形成されてもよい。
【００１４】
さらに、当該ナンバープレートは、いわゆるセキュリティーフィーチャーを有する。このセキュリティーフィーチャーは、図示された実施の形態では扁平状のセキュリティーフィーチャー１２として形成されている。場合によっては、当該ナンバープレートは、複数のセキュリティーフィーチャー１２を有してもよい。セキュリティーフィーチャー１２は、任意の寸法及び底面を有し得る。この図示された実施の形態（図１）では、セキュリティーフィーチャー１２が、四角形の底面を有する。このセキュリティーフィーチャー１２は、このセキュリティーフィーチャー１２に扁平状の外形を与えるキャリア１３及び図面中に示されなかった少なくとも１つのホログラム又はその他のセキュリティーフィーチャーから構成される。セキュリティーフィーチャー１２は、様々な種類の複数のセキュリティーフィーチャーを有してもよい。
【００１５】
本発明によれば、少なくとも１つのセキュリティーフィーチャー１２が、ナンバープレート本体１０の輪郭に沿って位置決めされるように、このセキュリティーフィーチャー１２をナンバープレート本体１０に敷設すること、特にナンバープレート本体１０中に収納することが提唱されている。その結果、貼付されたセキュリティーフィーチャーとは違って、当該収納された少なくとも１つのセキュリティーフィーチャー１２は、ナンバープレート本体１０の面から張り出さない。好ましくは、この少なくとも１つのセキュリティーフィーチャー１２は、ナンバープレート本体中に組み込まれている。つまり、このセキュリティーフィーチャー１２が、ナンバープレート本体の材料によって完全に包囲されていることによって（図２〜図４）、又は、このセキュリティーフィーチャー１２の目視可能な表面１４が、ナンバープレート本体１０の前面１１と同一平面となって結合すると同時に、このセキュリティーフィーチャー１２の、ナンバープレートの前面１１の一部を形成する表面１４が、ナンバープレート本体１０の材料によって包囲若しくは被覆されていないことによって（図１）、特にこのセキュリティーフィーチャー１２が、ナンバープレート本体１０中に埋設されているように、すなわちこのセキュリティーフィーチャー１２の全体が、ナンバープレート本体１０の内部に存在する。
【００１６】
図１は、ナンバープレート本体１０とこのナンバープレート本体１０の輪郭に沿って配置されたセキュリティーフィーチャー１２との一部を有するナンバープレートの一部を投影図で示す。ナンバープレートのナンバープレート本体１０は、ナンバープレートの目視可能な前面１１を形成する上層１５、この上層１５の下にある中間層１６、反射層１７、支持層１８、接着剤層１９及びナンバープレート本体１０の後面２１上の保護紙２０を有する。ナンバープレートを自動車の例えばボディー部分上に貼付するため、保護紙２０が剥がされる。その結果、保護紙２０は、ナンバープレート本体１０に含まれない。図１中に示されたナンバープレート本体１０の場合、反射手段が、上層１５及び中間層１６中に埋設されている。当該反射手段は、図示された実施の形態ではガラス球２２である。これらのガラス球２２は、上層１５と中間層１６との間に埋設されている。
【００１７】
当該図示された実施の形態では、セキュリティーフィーチャー１２が、ナンバープレート本体１０の上層１５の前面１１内に嵌入されている。この場合、セキュリティーフィーチャー１２が、上層１５中に埋設されている。つまり、直立した側面及びセキュリティーフィーチャー１２の、ガラス球２２に面する裏面が、上層１５の材料によって覆われているように、このセキュリティーフィーチャー１２が、上層１５中に埋設されている。これに対して、セキュリティーフィーチャー１２の、ナンバープレートの前面１１と同一平面なって結合している目視可能な表面１４が、上層１５の材料によって覆われていない。こうして、確かに、セキュリティーフィーチャー１２は、上層１５内に配置されていて且つこの上層１５の材料によって当該側面及び当該裏面に接合されているものの、この上層１５は、セキュリティーフィーチャー１２の目視可能な表面１４を覆わない。その結果、セキュリティーフィーチャー１２を読み取るため、上層１５を透明にする必要がない。目視可能な表面１４が、セキュリティーフィーチャー１２を上層１５中に埋設することによってこの上層１５の前面１１と同一平面になって結合するので、この上層１５中に埋設されたセキュリティーフィーチャー１２をナンバープレート、すなわちナンバープレート本体１０から分離することが阻止されている。
【００１８】
その他の構造、特にその他の反射体を有するナンバープレート本体又は反射体を全く有さずより少ない層を有する、最も簡単な場合は上層１５、接着剤層１９及び保護紙２０だけを有するナンバープレート本体でも、上述したセキュリティーフィーチャー１２の、ナンバープレート本体１０中への埋設は実施され得る。
【００１９】
図２は、ナンバープレート本体２３を有する自動車のナンバープレートを示す。セキュリティーフィーチャー２４が、ナンバープレート本体２３の別の場所の中に埋設されている。このナンバープレート本体２３は、固有の文字が施されている目視可能な前面２６を有する透明な、特に透き通った上層２５を備える。接着用ワニス層２８、その後の絶縁ワニス層２９及び接着剤層３１が、上層２５の後面２７の後に存在する。アルミニウム蒸着部３０が、絶縁ワニス層２９の後面上に敷設されている。接着剤層３１は、ナンバープレート本体２３の裏面を形成する。ここで示されたナンバープレートの場合でも、ナンバープレート本体２３を自動車の一部の部分の上に貼付するまで、接着剤層３１の接合していない裏面が、保護紙３２等で覆われている。ここでも、ガラス球３３、特に極小のガラス球が、ナンバープレート２３中に埋設されている、つまり接着用ワニス層２８と絶縁ワニス層２９との間に埋設されている。
【００２０】
ナンバープレート本体２３の場合、セキュリティーフィーチャー２４が、上層２５中にも配置されている。このセキュリティーフィーチャー２４は、特にホログラム、特にキャリア１３に敷設されたホログラムとして形成されている。当該図示されたナンバープレートの場合、セキュリティーフィーチャー２４が、接着用ワニス層２８と境を接している上層２５の後面２７内に存在する。このセキュリティーフィーチャー２４は、上層２５中に埋設されている。この場合、このセキュリティーフィーチャー２４の後の面３５が、上層２５の後面２７と同一平面になって結合する。上層２５によって覆われなかったこの面３５が、接着用ワニス層２８によって覆われている。したがって、当該図示されたナンバープレートの場合、セキュリティーフィーチャー２４は、一方では上層２５によって及び他方では接着用ワニス層２８によって完全に覆われている。上層２５の前面２６の後に設置されているセキュリティーフィーチャー２４が、ナンバープレートの表面から目視可能であるように、この上層２５は、完全に透明な、特に透き通った材料、特に合成樹脂から成る。
【００２１】
図３は、ナンバープレート本体３７を有するナンバープレートを示す。このナンバープレート本体３７は、図２のナンバープレート本体２３と同様な構造を有する。それ故に、図２のナンバープレート２３に対応するナンバープレート本体３７の部分に対しては、同じ符号が使用される。
【００２２】
セキュリティーフィーチャー２４と同様に形成され得るセキュリティーフィーチャー３６が、ナンバープレート本体３７中に存在する。このセキュリティーフィーチャー３６は、このナンバープレート本体３７の内部に完全に存在する。この場合、当該実施の形態（図３）では、セキュリティーフィーチャー３６は、上層２５の内部に完全に収納されている。図３のナンバープレート本体３７の場合、セキュリティーフィーチャー３６が、上層２５の前面２６の下で間隔をあけてこの上層２５の内部に配置されていることによって、このセキュリティーフィーチャー３６は、上層２５の材料によって完全に包囲されている。同様に、このセキュリティーフィーチャー３６は、上層２５の後面２７から間隔をあけて存在する。当該図示された実施の形態では、セキュリティーフィーチャー３６は、中心から外れて上層２５中に存在する。この場合、前面２６からセキュリティーフィーチャー３６までの距離は、上層２５の後面２７からこのセキュリティーフィーチャー３６までの距離より短い。しかし、セキュリティーフィーチャー３６は、上層２５の前面２６の下からより短い又はより長い距離を保って配置されてもよい。つまり、セキュリティーフィーチャー３６の全面がそれぞれ、上層２５の材料によって包囲されているように、セキュリティーフィーチャー３６は、上層２５の前面２６の下からより短い又はより長い距離を保て配置されてもよい。
【００２３】
図４は、ナンバープレートのもう１つの実施の形態を示す。このナンバープレートのナンバープレート本体３８は、最も簡単な構造を有する。このナンバープレート本体３８は、文字が施されていて透明な、特に透き通った前方の上層３９及びその後に配置された接着剤層４０、特に粘着性の接着剤層だけを有する。保護紙４１が、接着剤層４０の後に設けられている。この保護紙４１は、ナンバープレートを自動車の部分上に貼付する前に剥がされる。
【００２４】
当該図示されたナンバープレートの場合、セキュリティーフィーチャー４２が、前面４３と後面４４との間に存在することによって、このセキュリティーフィーチャー４２は、上層３９中に埋設されている。しかし、セキュリティーフィーチャー４２は、上層３９中の図４中に示された場所と違う別の場所に埋設されてもよい。つまり、特に、セキュリティーフィーチャー４２の面が、上層３９の前面４３又は後面４４と同一平面になって結合し、図１及び２の実施の形態で示されているように、セキュリティーフィーチャー４２は、上層３９中の図４中に示された場所と違う別の場所に埋設されてもよい。
【００２５】
図４中に示されたナンバープレートは、前面４３が反射する層、特に反射膜によって被覆されているナンバープレート本体３８を有してもよい。セキュリティーフィーチャー４２の、上層３９の前面４３と同一平面になって結合している面の場合、このセキュリティーフィーチャー４２のこの面は、反射膜によって被覆されている。
【００２６】
本発明は、異なって構成された任意のナンバープレート本体、特にガラス球２２又は３３の場所にプリズム、特にマイクロプリズムのラスターを有するナンバープレート本体に対しても適している。
【００２７】
以下に、本発明の方法を図１〜３に関連させて詳しく説明する：
それぞれのセキュリティーフィーチャー１２，２４又は３６が、上層１５又は２５中に封入されることによって、これらのセキュリティーフィーチャー１２，２４又は３６がそれぞれ、この上層１５又は２５中に組み込まれる。ナンバープレート１０の場合、セキュリティーフィーチャー１２は、上層１５の材料が注入される安定した基礎部分上の適切な場所に搭載される。その後、上層１５の材料が、当該基礎部分上に被覆され、このセキュリティーフィーチャー１２が、上層１５の材料によって被覆される。この場合、このセキュリティーフィーチャー１２が、上層１５中に埋設される。この場合、このセキュリティーフィーチャー１２の、当該基礎部分上に搭載されている表面１４が、上層１５の、当該基礎部分上に被覆された前面１１と同一平面になって結合する。
【００２８】
図２のナンバープレート本体２３を有するナンバープレートの場合、上層２５の材料が、安定した基礎部分上の全面にわたって被覆される。つまり、所定の層厚になるまで、上層２５の材料が、安定した基礎部分上の全面にわたって被覆される。引き続き、セキュリティーフィーチャーが、まだ硬化されていない上層２５中に搭載され、この上層２５のまだ液体の材料中に押し込まれる。その結果、セキュリティーフィーチャー２４の後面３５が、上層２５の後面２７と同一平面になって結合する。
【００２９】
図３のナンバープレート本体３７を有するナンバープレートを製造するため、上層２５が、２つのステップで成形される。このため、ナンバープレート本体３７の上層２５が、２つの層から形成される。この場合、セキュリティーフィーチャー３６が、これらの層の間に配置され、これによって上層２５中に完全に埋設される。この目的のため、最初に、第１部分、すなわち上層２５の第１層が、安定した平坦な基礎部分上に注入される。上層２５の材料の、依然として一部が液状の状態中に、セキュリティーフィーチャー３６が、この第１層上に搭載される。引き続き、第２部分、すなわち上層２５の第２層が、当該第１層上に注入される。こうして、セキュリティーフィーチャー３６が、上層２５の前後して製造された両層間に完全に埋設される。上層２５を形成するこれらの異なる層は、重なり合って湿式に成形される。その結果、埋設されたセキュリティーフィーチャー３６を有する均質な上層２５が、硬化後に形成される。
【符号の説明】
【００３０】
１０  ナンバープレート本体
１１  前面
１２  セキュリティーフィーチャー
１３  キャリア
１４  表面
１５  上層
１６  中間層
１７  反射層
１８  支持層
１９  接着剤層
２０  保護紙
２１  後面
２２  ガラス球
２３  ナンバープレート本体
２４  セキュリティーフィーチャー
２５  上層
２６  前面
２７  後面
２８  接着用ワニス層
２９  絶縁ワニス層
３０  アルミニウム蒸着部
３１  接着剤層
３２  保護紙
３３  ガラス球
３５  面
３６  セキュリティーフィーチャー
３７  ナンバープレート本体
３８  ナンバープレート本体
３９  上層
４０  接着剤層
４１  保護紙
４２  セキュリティーフィーチャー
４３  前面
４４  後面
【図１】
2012515680.tif 000003
【図２】
2012515680.tif 000004
【図３】
2012515680.tif 000005
【図４】
2012515680.tif 000006
【国際調査報告】
2012515680.tif 000007
2012515680.tif 000008
2012515680.tif 000009
2012515680.tif 000010
2012515680.tif 000011
2012515680.tif 000012